(57)【要約】【課題】本考案は串に刺した焼き鳥や団子或は串揚げ料理などの串刺し食品を食べる際、串から食品を抜き易くして、食べ易くすることが可能となる串刺し食品用の食品押出し具を提供することを目的とする。【解決手段】指で握る柄状の本体１と、その本体１の先端には扇状で且つそれを湾曲させて設けた食品押え部２と、該食品押え部２の中央に設けた串挿入用の切欠き溝３と、前記本体１の後端に突設した食品突き刺し用の突き刺し部４とから少なくとも構成する。また前記本体１の中間部に指で容易に摘めるように板厚分を上方に出るように折曲させた摘み部が設けられたものとしても良く、前記食品押え部２の先端面下部にノコ刃状の刃部を設けても良い。更に前記突き刺し部４を二股で先鋭なものとしても良い。【選択図】図１
0003149459.tif 000002
【実用新案登録請求の範囲】
【請求項１】
指で握る柄状の本体（１）と、その本体（１）の先端には扇状で且つ湾曲させて設けた食品押え部（２）と、該食品押え部（２）の中央に設けた串挿入用の切欠き溝（３）と、前記本体（１）の後端に突設した食品突き刺し用の突き刺し部（４）とから少なくとも構成したことを特徴とする串刺し食品用の食品押出し具。
【請求項２】
前記本体（１）の中間部に指で容易に摘めるように板厚分を上方に出るように折曲させた摘み部（５）が設けられた請求項１記載の串刺し食品用の食品押出し具。
【請求項３】
前記食品押え部（２）の先端面が、前記本体（１）の厚さよりも薄く形成された請求項１記載の串刺し食品用の食品押出し具。
【請求項４】
前記食品押え部（２）の先端面下部にノコ刃状の刃部（６）が設けられた請求項１又は３記載の串刺し食品用の食品押出し具。
【請求項５】
前記突き刺し部（４）が二股で且つ先鋭なものである請求項１記載の串刺し食品用の食品押出し具。
【考案の詳細な説明】
【技術分野】
【０００１】
本考案は串に刺した焼き鳥や団子或は串揚げ料理などの串刺し食品を食べる際、串から食品を抜き易くして、食べ易くするための串刺し食品用の食品押出し具に関する。
【背景技術】
【０００２】
一般に串に刺した焼き鳥や団子或は串揚げ料理などの串刺し食品を食べる際、串に刺した食品が残り少なくなると、串の中間に残った食品はそのままでは食べにくいので、串先に食品をずらしてから食べていた。その場合、串を横向きにして串の中間部に残った食品を口で加えながら串先の方へ移動させると、口の周りが汚れ、ベタ付いて気持ちが悪く、且つ見た目も良くなかった。又、皿の上に串刺し食品を置き、箸で摘みながら食品を押して移動させると、特に食品が串にへばり付いて取りにくい時には、箸で食品を強引に串から抜くと、串から抜けた食品が勢い余って思わぬ方向へ飛び出る恐れがあった。
このため、串から抜き易くして、食べ易くすると共に、口の周りや手などを汚さずに食べることができ、串の先で思わぬ怪我などをする恐れをなくした串刺し食品用の食品押出し具が要望されていた。
【０００３】
近年に於いては、みたらし団子や串団子の串物が、残り少なくなった手元に近い団子でも食べ易く串の先まで容易に移動させる器具として、実用新案登録第３０８０２８８号「だんご寄せ器具」が提案されている。これは指で握る握り部と、串（７）が入る二股部とから成る略スパナ形状のものであった（図４参照）。又、団子や串カツ等の串刺し食品（８）を食べ易くするために使用するものとして、実用新案登録第３０７０７８３号「串刺し食品の押し出し具」が提案されている。これは、円柱状の把手部の上端部を、把手部より大径で同心円の食品受け円盤部とし、軸中心部に、串刺し食品の串を挿通自在に挿入する串刺し孔を軸方向に貫通して設けたものである。
【０００４】
しかしながら実用新案登録第３０８０２８８号は略スパナ形状であり、且つ二股間の広さは、串（７）が容易に通されるために、串（７）の太さよりかなり広く図面上に表示されている。このため、串（７）に刺した中間の団子（８）を串先の方へ移動させることは容易であるが、焼き鳥や串揚げ料理などのように、串刺しした後に焼くか或は油で揚げたりしたものに対しては、それらの食品（８）が串（７）にへばり付いて取りにくくなり易い。これを前記だんご寄せ器具で串先の方へ移動させる場合、串（７）と二股間にかなりの隙間が生じるので、食品（８）を押してもなかなか移動できず、食品（８）を強引に串（７）から抜くと、串（７）から抜けた食品（８）が勢い余って思わぬ方向へ飛び出る恐れがあると共に前記隙間に食品（８）の残りが付き易いため、次の食品（８）を移動させる際、前記食品（８）の残りが邪魔になっていた。しかも、串（７）から抜けた食品（８）を食べる時には、箸に持ち替えてから口に運ばなければならなかった。
【０００５】
又、実用新案登録第３０７０７８３号は、焼き鳥や串揚げ料理などの食品を串先の方へ移動させる場合、少なくなった食品の手元の方の串から挿入しなければならないため、串先の方を手で持ってから前記串刺し食品の押し出し具を挿入する。すると、串先側にタレや食品の残りが付着していると、手にタレや食品の残りが付いて汚れると共に、前記串刺し食品の押し出し具を立てて上方へ移動させると、タレが流れ出て手を汚す恐れがあった。しかも前記串刺し食品の押し出し具を押す際、食品が２つ以上残っている場合が多く、串に食品がへばりつく強さは、１つずつ食品を押出す時よりも２倍以上になり、前記串刺し食品の押し出し具をより強く押す必要があるため、余分な力を要すると共に上記同様に、串から抜けた食品が勢い余って思わぬ方向へ飛び出し、且つ、串から抜けた食品を食べる時には、箸に持ち替えてから口に運ばなければならなかった。
【先行技術文献】
【特許文献】
【０００６】
【特許文献１】実用新案登録第３０８０２８８号公報
【特許文献２】実用新案登録第３０７０７８３号公報
【考案の概要】
【考案が解決しようとする課題】
【０００７】
本考案は串に刺した焼き鳥や団子或は串揚げ料理などの串刺し食品を食べる際、串から食品を抜き易くして、食べ易くすることが可能となる串刺し食品用の食品押出し具を提供することを目的とする。
【課題を解決するための手段】
【０００８】
本考案は上記要望に応えるために成されたものであり、つまり、指で握る柄状の本体と、その本体の先端には扇状で且つそれを湾曲させて設けた食品押え部と、該食品押え部の中央に設けた串挿入用の切欠き溝と、前記本体の後端に突設した食品突き刺し用の突き刺し部とから少なくとも構成する。また前記本体の中間部に指で容易に摘めるように板厚分を上方に出るように折曲させた摘み部が設けられたものとしても良く、前記食品押え部の先端面下部にノコ刃状の刃部を設けても良い。更に前記突き刺し部を二股としても良い。
【考案の効果】
【０００９】
請求項１のように指で握る柄状の本体（１）と、その本体（１）の先端には扇状で且つそれを湾曲させて設けた食品押え部（２）と、該食品押え部（２）の中央に設けた串挿入用の切欠き溝（３）と、本体（１）の後端に突設した食品突き刺し用の突き刺し部（４）とから少なくとも構成することにより、切欠き溝（３）を串（７）に挿入しそれに沿って移動させれば、食品（８）を串（７）から簡単に押出すことができると共に箸に持ち替えることなく食品（８）を突き刺し部（４）で突き刺して口に運ぶことができるものとなる。また串（７）に食品（８）が残ることなくきれいに押出せるものとなる。従って、手や口の周りを汚さずに衛生的に食品（８）を食べることができると共に、女性や子供或は高齢者が、口の中に串（７）を入れる必要がなくなるため、安全に使用できるものとなる。
【００１０】
請求項２のように本体（１）の中間部に指で容易に摘めるように板厚分を上方に出るように折曲させた摘み部（５）が設けられることにより、安定して本体（１）を指で支持でき、食品（８）を容易に押出すことができるものとなる。
【００１１】
請求項３に示すように食品押え部（２）の先端面を、本体（１）の厚さより薄く形成させることにより、食品（８）と食品（８）の間に入れ易くなると共に、串（７）を切欠き溝（３）に挿入し易くなる。
【００１２】
請求項４に示すように食品押え部（２）の先端面下部にノコ刃状の刃部（６）を設けることにより、串（７）に刺した焼き鳥などの食品（８）を串先へ移動させた後、その食品（８）を食べ易い大きさにすることが可能となるため、より食べ易い状態とすることが可能となる。
【００１３】
請求項５のように突き刺し部（４）を二股にすると共に先鋭なものとすることにより、突き刺し部（４）で食品（８）を確実に刺すことができ、箸などに持ち替えることなく、食品（８）を口に運ぶことができるものとなる。
【図面の簡単な説明】
【００１４】
【図１】本考案の実施形態を示す斜視図である。
【図２】本考案の別実施形態を示す斜視図である。
【図３】本考案の使用状態を示す説明図である。
【図４】従来品の使用状態を示す説明図である。
【考案を実施するための形態】
【００１５】
本考案は焼き鳥や串揚げ料理などの食品（８）が串（７）にへばり付いて取りにくくなった状態であっても、串（７）から食品（８）を簡単に抜き易くして食べ易くすると共に手や口の周りを汚さずに且つ衛生的に食べられることを実現した。
【実施例１】
【００１６】
図１は本考案の実施例を示す図であり、これに基づき説明する。(１)は指で握る柄状の合成樹脂製や金属製の本体であり、該本体（１）は、持ち易くするために両端側を上方へ若干反らしている。また反りの他の理由としては、本体（１）をテーブルや皿（９）の上に置いた時に、後述する突き刺し部（４）がそれらに触れないように浮かすためである。尚、前記本体（１）の反りは必ずしも設けなくても良い。（２）は本体（１）の先端に設けた食品押え部であり、該食品押え部（２）は扇状で且つそれを下向きに湾曲させていると共に、本体（１）に対して傾斜角（α）は約３０度前後傾斜されている。この傾斜具合は直線的に折曲しても良いが、湾曲状に折曲するのが好ましい。又、前記食品押え部（２）の先端面は、食品（８）間に入り易くするために、本体（１）の厚さより薄く形成させておくのが好ましい。尚、前記傾斜角（α）は上記角度に限定されるものではなく、本体（１）が略水平状態とした時であっても、食品押え部（２）によって無理なく力が伝達でき、且つ、後述する切欠き溝（３）を串（７）に挿入できる角度であれば良い。
【００１７】
（３）は食品押え部（２）の先端面の中央に設けた串挿入用の切欠き溝であり、該切欠き溝（３）は串（７）の外形が挿入される幅と深さを有している。（４）は本体（１）の後端に突設した食品突き刺し用の突き刺し部であり、該突き刺し部（４）は先端が二股に分かれ且つ先鋭に形成されている。又、前記突き刺し部（４）の先端部は安全のために曲げておくのが好ましい。尚、前記突き刺し部（４）の先端は二股に分かれたものに限定されるものではなく、食品（８）を突き刺した時に抜けずに口へ食品（８）が運べる形状であれば良い。
【００１８】
次に本考案の使用方法について説明する。先ず始め串刺しされた食品（８）を串（７）から抜き取る時は、串（７）を皿（９）に立てて図３に示すように食品（８）の上に食品押え部（２）を載せると共に串（７）を切欠き溝（３）に挿入し、食品（８）の上面に食品押え部（２）を被せる状態にさせて下方へ押出す。すると、その食品（８）は皿（９）の上に載り、本体（１）の後端にある突き刺し部（４）によって食品（８）を刺して口へ運べば良い。この時、食品（８）を抜き取る際、本体（１）は略水平であるが、湾曲する食品押え部（２）は下向きに傾斜し、従来の如き無理な力を加えずに容易に行えるものとなる。そして本体（１）の中間部を指で摘んで下方へ移動させ、串（７）に刺された食品（８）を簡単に押出すことができるものとなる。
【００１９】
このように切欠き溝（３）を串（７）に挿入すると共に食品押え部（２）を食品（８）の上面に被せてから、串（７）に沿って移動させれば、食品（８）は串（７）から簡単に押出され、突き刺し部（４）によって、箸に持ち替えることなく食品（８）を刺して口へ運ぶことができるものとなる。また汚れていない方の串（７）を片手に持ち、他方の手で本考案品を操作すれば手が殆ど汚れる恐れがないものとなるのである。
【実施例２】
【００２０】
図２は本考案の別実施例を示す図であり、これは実施例１に比べ、本体（１）の中間部に指で容易に摘める摘み部（５）が設けられていると共に食品押え部（２）の先端面下部にはノコ刃状の刃部（６）が設けられている。他は同じである。前記摘み部（５）について詳細に説明すると、摘み部（５）は本体（１）の中間部を折曲或は押圧させて板厚分が上方に出るようにさせている。尚、前記摘み部（５）を型によって本体（１）と一体に成形したものとしても良い。又、前記刃部（６）はノコ刃状に限定されるものではなく、食品（８）を適宜大きさにできるものであれば良い。
【００２１】
次に本考案の別実施例の使用方法については、実施例１と同様に行えば良い。尚、前記本体（１）を持つ際は、摘み部（５）を指で摘めば簡単に挟持して支持できるものとなる。また串（７）から押出された食品（８）が大きい時には、食品押え部（２）の刃部（６）によって食品（８）を適宜大きさにしてから口へ運べるため、串刺し食品（８）を食べる時に便利なものとなるのである。
【符号の説明】
【００２２】
１  本体
２  食品押え部
３  切欠き溝
４  突き刺し部
５  摘み部
６  刃部
【図１】
0003149459.tif 000003
【図２】
0003149459.tif 000004
【図３】
0003149459.tif 000005
【図４】
0003149459.tif 000006